【手続補正書】
【提出日】平成30年12月20日(2018.12.20)
【手続補正１】
【補正対象書類名】特許請求の範囲
【補正対象項目名】全文
【補正方法】変更
【補正の内容】
【特許請求の範囲】
【請求項１】
コントローラ側第１操作ボタンが設けられるコントローラ側スライド部を有するゲームコントローラに装着可能なアタッチメントであって、
前記アタッチメントの第１面に設けられ、前記コントローラ側スライド部に対して所定のスライド方向にスライド可能に係合することが可能であって、当該スライド方向の一方側と他方側とのうちの一方側から前記コントローラ側スライド部を挿入可能なアタッチメント側スライド部と、
前記第１面の裏側の第２面から突出可能なアタッチメント側第１操作ボタンとを備え、
前記アタッチメント側第１操作ボタンは、
当該アタッチメント側第１操作ボタンに対する押下操作に応じて前記第１面から突出可能であり、前記コントローラ側第１操作ボタンを押下可能な第１突出部を有する、アタッチメント。
【請求項２】
ストラップを取り付けるためのストラップ取り付け部をさらに備える、請求項１に記載のアタッチメント。
【請求項３】
前記ストラップ取り付け部は、前記アタッチメントのうちで、当該アタッチメントの中央よりも、前記スライド方向の前記一方側と同じ側に設けられる、請求項２に記載のアタッチメント。
【請求項４】
前記アタッチメント側スライド部の中央より前記他方側に設けられ、前記アタッチメント側スライド部の前記一方側から挿入された前記コントローラ側スライド部の挿入方向へのスライド移動を停止するための停止部をさらに備える、請求項１から請求項３のいずれか１項に記載のアタッチメント。
【請求項５】
コントローラ側スライド部を有するゲームコントローラに取り付け可能なアタッチメントであって、
前記アタッチメントの第１面に設けられ、前記コントローラ側スライド部に対して所定のスライド方向にスライド可能に係合することが可能であって、当該スライド方向の一方側と他方側とのうちの一方側から前記コントローラ側スライド部を挿入可能なアタッチメント側スライド部と、
前記アタッチメント側スライド部の中央より前記他方側に設けられ、前記アタッチメント側スライド部の前記一方側から挿入された前記コントローラ側スライド部の挿入方向へのスライド移動を停止するための停止部と、
前記アタッチメントのうちで、当該アタッチメントの中央よりも、前記スライド方向の前記一方側と同じ側の部分にストラップを取り付け可能なストラップ取り付け部とを備える、アタッチメント。
【請求項６】
前記アタッチメントは、孔が形成されたハウジングをさらに備え、
前記ストラップ取り付け部は、前記ハウジングの内部に設けられる軸部であり、
前記軸部に取り付けられ、前記孔から前記ハウジングの外部に延びるストラップをさらに備える、請求項５に記載のアタッチメント。
【請求項７】
前記停止部により前記コントローラ側スライド部のスライド移動が実質的に停止された状態において、前記挿入方向とは逆の抜去方向へのスライド移動を係止する係止部をさらに備える、請求項４から請求項６のいずれか１項に記載のアタッチメント。
【請求項８】
前記ゲームコントローラは、コントローラ側突起部を有しており、
前記係止部は、前記アタッチメント側スライド部において中央よりも前記他方側の部分に設けられ、前記停止部により前記コントローラ側スライド部のスライド移動が実質的に停止された状態において前記コントローラ側突起部が引っ掛かることが可能な形状を有する、請求項７に記載のアタッチメント。
【請求項９】
前記アタッチメント側スライド部は、
前記スライド方向に実質的に平行な底面と、
前記スライド方向に実質的にそれぞれ平行であって、前記底面の両側からそれぞれ延びる２つの側面と、
前記２つの側面からそれぞれ延びて設けられ、前記底面に対向する面を有する２つの対向部を有し、
前記係止部は、前記２つの対向部のそれぞれに設けられる、請求項８に記載のアタッチメント。
【請求項１０】
前記係止部は、前記停止部により前記コントローラ側スライド部のスライド移動が実質的に停止された状態において前記コントローラ側突起部のうちで前記一方側を向く面が当接する当接面を有し、
前記当接面は、前記一方側に向かうにつれて前記２つの対向部の間隔が狭くなるように形成される、請求項９に記載のアタッチメント。
【請求項１１】
前記係止部は、前記アタッチメント側スライド部において中央よりも前記一方側の部分に設けられ、前記停止部によりスライド移動が実質的に停止された状態における前記コントローラ側スライド部に引っ掛かることが可能なアタッチメント側突起部を有する、請求項７から請求項１０のいずれか１項に記載のアタッチメント。
【請求項１２】
前記アタッチメント側突起部は、前記一方側に設けられ、前記一方側に向かうにつれて、当該アタッチメント側突起部が設けられる所定面に近づくように傾斜する面を有する、請求項１１に記載のアタッチメント。
【請求項１３】
前記アタッチメント側突起部は、第１位置と、第２位置との間で移動可能であり、
前記第１位置にある前記アタッチメント側突起部は、当該アタッチメント側突起部が設けられる所定面から、当該アタッチメント側突起部が前記第２位置にある状態よりも突出することによって、前記停止部によりスライド移動が実質的に停止された状態における前記コントローラ側スライド部に引っ掛かることが可能であり、
前記アタッチメントは、ユーザによる操作によって第３位置と第４位置との間で移動可能に設けられる操作部をさらに備え、
前記操作部は、前記第３位置となる状態において、前記アタッチメント側突起部が前記第１位置から前記第２位置へと移動することを制限し、前記第４位置となる状態において、前記アタッチメント側突起部が前記第１位置から前記第２位置へと移動することを可能とする、請求項１１または請求項１２に記載のアタッチメント。
【請求項１４】
前記アタッチメント側突起部による前記第１位置から前記第２位置への移動方向は、前記操作部による前記第３位置から前記第４位置への移動方向に対して実質的に垂直であり、
前記操作部は、前記第３位置となる状態において、前記第１位置にある前記アタッチメント側突起部に当接することによって、当該アタッチメント側突起部が前記第１位置から前記第２位置へと移動することを制限し、前記第４位置となる状態において、前記第１位置にある前記アタッチメント側突起部に当接しない位置に位置する、請求項１３に記載のアタッチメント。
【請求項１５】
前記アタッチメント側スライド部は、前記スライド方向に沿って設けられるレール部材である、請求項１から請求項１４のいずれか１項に記載のアタッチメント。
【請求項１６】
前記アタッチメント側スライド部は、金属で構成される、請求項１から請求項１５のいずれか１項に記載のアタッチメント。
【請求項１７】
前記アタッチメント側スライド部は、
前記スライド方向に実質的に平行な底面と、
前記スライド方向に実質的にそれぞれ平行であって、前記底面の両側からそれぞれ延びる２つの側面と、
前記２つの側面からそれぞれ延びて設けられ、前記底面に対向する面を有する２つの対向部を有し、
前記２つの対向部における前記一方側の端部は、先端に向かうにつれて互いに離れる方向に広がるように形成される、請求項１から請求項１６のいずれか１項に記載のアタッチメント。
【請求項１８】
前記アタッチメント側スライド部の底面に設けられ、前記停止部によりスライド移動が実質的に停止された状態における前記コントローラ側スライド部に対して、当該底面から離れる方向への力を加える弾性部材をさらに備える、請求項４から請求項１４のいずれか１項に記載のアタッチメント。
【請求項１９】
前記弾性部材は、前記アタッチメント側スライド部の中央よりも前記他方側の部分に設けられる、請求項１８に記載のアタッチメント。
【請求項２０】
前記アタッチメント側第１操作ボタンの操作面の面積は、前記コントローラ側第１操作ボタンの面積よりも大きい、請求項１から請求項４のいずれか１項に記載のアタッチメント。
【請求項２１】
前記第１突出部の先端は曲面形状を有する、請求項１から請求項４、および、請求項２０のいずれか１項に記載のアタッチメント。
【請求項２２】
前記第１突出部は、突出方向に垂直な断面形状が十字形状である、請求項１から請求項４、請求項２０、および、請求項２１のいずれか１項に記載のアタッチメント。
【請求項２３】
前記スライド方向における前記第２面の両側の端部は、丸みを帯びた曲面で形成される、請求項１から請求項４、および、請求項２０から請求項２２のいずれか１項に記載のアタッチメント。
【請求項２４】
前記アタッチメント側スライド部の底面に入射口が設けられ、
前記アタッチメント側スライド部の底面とは異なる、前記アタッチメントの他の面に出射口が設けられ、
前記入射口に対して入射された光を前記出射口まで導光する導光部を有する、請求項１から請求項２３のいずれか１項に記載のアタッチメント。
【請求項２５】
前記出射口は、前記第１面の裏側の第２面に設けられる、請求項２４に記載のアタッチメント。
【請求項２６】
前記コントローラ側スライド部には、コントローラ側第２操作ボタンがさらに設けられ、
前記アタッチメントは、前記第２面から突出可能なアタッチメント側第２操作ボタンを備え、
前記アタッチメント側第２操作ボタンは、
当該アタッチメント側第２操作ボタンに対する押下操作に応じて前記第１面から突出可能であり、前記コントローラ側第２操作ボタンを押下可能な第２突出部を有し、
前記出射口は、前記第２面において、前記アタッチメント側第１操作ボタンと前記アタッチメント側第２操作ボタンとの間に設けられる、請求項２５に記載のアタッチメント。
【請求項２７】
ゲームコントローラと、当該ゲームコントローラに装着可能なアタッチメントとを含む操作システムであって、
前記ゲームコントローラは、
コントローラ側スライド部と、
前記コントローラ側スライド部に設けられるコントローラ側操作ボタンとを備え、
前記アタッチメントは、
前記アタッチメントの第１面に設けられ、前記コントローラ側スライド部に対して所定のスライド方向にスライド可能に係合することが可能であって、当該スライド方向の一方側と他方側とのうちの一方側から前記コントローラ側スライド部を挿入可能なアタッチメント側スライド部と、
前記第１面の裏側の第２面から突出可能なアタッチメント側操作ボタンとを備え、
前記アタッチメント側操作ボタンは、
当該アタッチメント側操作ボタンに対する押下操作に応じて前記第１面から突出可能であり、前記コントローラ側操作ボタンを押下可能な突出部を有する、操作システム。